(57)【要約】【課題】接地容量を低減し、かつ接地容量のばらつきを低減可能な技術を提供することを目的とする。【解決手段】タッチスクリーン１は、複数の行方向配線２１の配設領域の外周に沿って延在する複数の引き出し配線Ｒ１〜Ｒ６と、複数の引き出し配線Ｒ１〜Ｒ６から分岐し、複数の引き出し配線Ｒ１の配設領域の外周に沿って延在する複数のカップリングシールド配線ＳＲ１〜ＳＲ６とを備える。複数のカップリングシールド配線ＳＲ１〜ＳＲ６の長さ及び幅の少なくともいずれか１つは、対応する複数の引き出し配線Ｒ１〜Ｒ６の長さに基づいてそれぞれ規定されている。【選択図】図２
2020024592.tif 000002
【特許請求の範囲】
【請求項１】
予め定められた延在方向に沿って延在する複数のセンサ用配線と、
前記複数のセンサ用配線の端部と接続され、かつ前記複数のセンサ用配線の配設領域の外周に沿って延在する複数の引き出し配線と、
前記複数の引き出し配線から分岐し、前記複数の引き出し配線の配設領域の外周に沿って延在する複数のカップリングシールド配線と
を備え、
前記複数のカップリングシールド配線の長さ及び幅の少なくともいずれか１つは、対応する前記複数の引き出し配線の長さに基づいてそれぞれ規定されている、タッチスクリーン。
【請求項２】
請求項１に記載のタッチスクリーンであって、
前記引き出し配線の長さが大きくなるにつれて、対応する前記カップリングシールド配線の長さが小さくなる、タッチスクリーン。
【請求項３】
請求項２に記載のタッチスクリーンであって、
前記複数のカップリングシールド配線の本数は、前記複数のカップリングシールド配線の分岐部から先端部に向かうにつれて少なくなり、
前記複数のカップリングシールド配線のうち１以上のカップリングシールド配線の幅は、前記本数が少なくなるにつれて大きくなる、タッチスクリーン。
【請求項４】
請求項１または請求項２に記載のタッチスクリーンであって、
前記引き出し配線の長さが大きくなるにつれて、対応する前記カップリングシールド配線の幅が小さくなる、タッチスクリーン。
【請求項５】
請求項１に記載のタッチスクリーンであって、
前記複数のカップリングシールド配線のうち最も短いカップリングシールド配線は、前記複数の引き出し配線のうち最も外側の引き出し配線から分岐されている、タッチスクリーン。
【請求項６】
請求項１から請求項５のうちのいずれか１項に記載のタッチスクリーンであって、
前記複数のセンサ用配線、前記複数の引き出し配線、及び、前記複数のカップリングシールド配線を囲むシールド配線をさらに備える、タッチスクリーン。
【請求項７】
請求項１から請求項６のうちのいずれか１項に記載のタッチスクリーンと、
指示体と、前記複数のセンサ用配線との間に形成される静電容量に基づいて、前記指示体によって指示された前記タッチスクリーン上の位置を検出する検出処理回路と
を備える、タッチパネル。
【請求項８】
請求項７に記載のタッチパネルと、
前記タッチパネルの前記タッチスクリーンに重ねられた表示素子と
を備える、表示装置。
【請求項９】
請求項８に記載の表示装置と、
前記タッチパネルの前記検出処理回路の出力を入力信号として処理する電子素子と
を備える、電子機器。
【発明の詳細な説明】
【技術分野】
【０００１】
本発明は、タッチスクリーン、及び、それを備えるタッチパネル、表示装置、並びに、電子機器に関する。
【背景技術】
【０００２】
タッチパネルは、指などによるタッチを検出して、タッチされた位置の位置座標を特定する装置として知られている。タッチパネルは、優れたユーザーインターフェース手段の１つとして注目されている。現在、抵抗膜方式、静電容量方式などの種々の方式のタッチパネルが製品化されている。一般に、タッチパネルは、タッチセンサが内蔵されるタッチスクリーンと、タッチスクリーンからの信号に基づいてタッチされた位置座標を特定する検出装置とから構成されている。
【０００３】
静電容量方式のタッチパネルの１つとして、投影型静電容量（Projected Capacitive）方式のタッチパネルがある（例えば特許文献１参照）。このような投影型静電容量方式のタッチパネルでは、タッチセンサが内蔵されるタッチスクリーンの前面側を厚さが数ｍｍ程度のガラス板などの保護板で覆った場合でも、タッチの検出が可能である。この方式のタッチパネルは、保護板を前面に配設できるので堅牢性に優れ、手袋装着時でもタッチの検出が可能である。また、上記方式のタッチパネルは、機械的に変形する可動部を有さないので長寿命である。
【０００４】
投影型静電容量方式のタッチパネルは、例えば、静電容量を検出するための検出用配線として、薄い誘電膜上に形成された第１シリーズの導体エレメントと、第１シリーズの導体エレメント上に絶縁膜を隔てて形成された第２シリーズの導体エレメントとを備えている。なお、各導体エレメントは互いに電気的に接触しておらず、複数箇所で立体的に交差している。指などの指示体と、検出用配線である第１シリーズの導体エレメント及び第２シリーズの導体エレメントとの間に形成される静電容量を検出回路で検出することによって、指示体がタッチした位置の位置座標が特定される。この検出方式は、一般に自己容量検出方式と呼ばれる（例えば特許文献２参照）。
【０００５】
また、例えば、行方向に延びて設けられる複数の行方向配線と、列方向に延びて設けられる複数の列方向配線との間の電界変化、すなわち相互容量の変化を検出することで、タッチされた位置座標を特定する検出方式がある。この検出方式は、一般に相互容量検出方式と呼ばれる（例えば特許文献３参照）。
【０００６】
上述した自己容量方式及び相互容量方式のいずれの構成においても、行方向配線と列方向配線とによって格子状に区画された平面領域（検出セル）に指などの指示体によるタッチがある場合に、センサブロックでの検出値と、その近傍の検出セルの検出値とのバランスに基づいて、タッチされた位置座標を特定する方法が一般的に用いられる。
【０００７】
一般的に、センサキャパシタは、行方向配線及び列方向配線によって形成されるが、理想的には、タッチなどによる物理量が作用しない状態での複数のセンサキャパシタの静電容量は互いに等しくなるように製造されるのが望ましい。しかしながら、タッチパネルを液晶表示パネルなどの表示素子と組み合わせた構成では、タッチスクリーンに配設された複数の引き出し配線のうちの外側の引き出し配線と、液晶表示パネルなどの表示素子との間に不要な寄生容量が形成される。このため、タッチスクリーンに物理量が作用していない状況において、外側の引き出し配線に対応するセンサキャパシタ（静電容量）のオフセットと、それ以外の引き出し配線に対応するセンサキャパシタ（静電容量）のオフセットとが異なることになる。
【０００８】
このような物理量の作用とは無関係に存在する静電容量のオフセットと、物理量の作用に伴って生じる静電容量とを、投影型静電容量方式のタッチスクリーンの出力電圧によって区別することは困難であるため、物理量の検出誤差が生じる原因となってしまう。そこで、複数のセンサキャパシタにおいて静電容量のオフセットのばらつきを低減するタッチスクリーンが提案されている。
【０００９】
例えば特許文献４に開示のタッチスクリーンは、複数の引き出し配線と、ダミー引き出し配線とを備えている。なお、ダミー引き出し配線は、複数の引き出し配線から成る配線束の両外側の引き出し配線のうちの少なくとも一方の引き出し配線のさらに外側に沿って配設されている。このダミー引き出し配線には、予め定められた電位が印加されているため、静電容量のオフセットのばらつきを抑制することが可能となる。
【００１０】
特許文献４に開示のタッチスクリーンによれば、ダミー引き出し配線の電位と、引き出し配線の電位とがほぼ等しくなる場合に容量のオフセットを抑制可能となる。しかしながら、その技術では、ダミー引き出し配線の電位と、引き出し配線の電位とが異なってしまう場合があり、そのような場合、ダミー引き出し配線と引き出し配線とのカップリングによって容量のオフセットが大きくなってしまうことがあった。
【００１１】
このような特許文献４の構成とは別の構成として、特許文献５に開示のタッチスクリーンは、容量のばらつきを低減するために、複数のセンサ容量のうち最も大きい容量に合わせる形で、容量の最も大きいセンサ以外のセンサに容量を付加する。このような構成によれば、静電容量のオフセットのばらつきを低減することが可能となる。
【先行技術文献】
【特許文献】
【００１２】
【特許文献１】特開２０１２−１０３７６１号公報
【特許文献２】特表平９−５１１０８６号公報
【特許文献３】特表２００３−５２６８３１号公報
【特許文献４】特許第５１０６４７１号公報
【特許文献５】特開２０１６−２０６８６７号公報
【発明の概要】
【発明が解決しようとする課題】
【００１３】
特許文献５のタッチスクリーンは、最も大きいセンサ容量に合わせてその他のセンサに容量を付加するため、容量のばらつきを低減することはできる。しかしながら、容量の付加に伴いセンサ負荷が大きくなってしまうという問題がある。なお、特許文献５の構成においてセンサ容量を低減するために、ダミー引き出し配線とセンサ配線との間の距離を長くすることが考えられる。しかしながら、ダミー引き出し配線と引き出し配線との距離を長くしたことによる影響で、表示素子と特に最外引き出し配線とのカップリングによる容量（カップリング容量または接地容量とも呼ばれる）の結合が生じるため、センサ容量の低減効果は低い。
【００１４】
以上のように従来技術では、接地容量のばらつき及び接地容量を低減することができないという問題がある。その結果、表示装置の大型化や保護板の厚膜化に対応ができないという問題があった。
【００１５】
そこで、本発明は、上記のような問題点を鑑みてなされたものであり、接地容量を低減し、かつ接地容量のばらつきを低減可能な技術を提供することを目的とする。
【課題を解決するための手段】
【００１６】
本発明に係るタッチスクリーンは、予め定められた延在方向に沿って延在する複数のセンサ用配線と、前記複数のセンサ用配線の端部と接続され、かつ前記複数のセンサ用配線の配設領域の外周に沿って延在する複数の引き出し配線と、前記複数の引き出し配線から分岐し、前記複数の引き出し配線の配設領域の外周に沿って延在する複数のカップリングシールド配線とを備え、前記複数のカップリングシールド配線の長さ及び幅の少なくともいずれか１つは、対応する前記複数の引き出し配線の長さに基づいてそれぞれ規定されている。
【発明の効果】
【００１７】
本発明によれば、複数の引き出し配線から分岐し、複数の引き出し配線の配設領域の外周に沿って延在する複数のカップリングシールド配線を備え、複数のカップリングシールド配線の長さ及び幅の少なくともいずれか１つは、対応する複数の引き出し配線の長さに基づいてそれぞれ規定されている。このような構成によれば、接地容量を低減し、かつ接地容量のばらつきを低減することができる。
【図面の簡単な説明】
【００１８】
【図１】実施の形態１に係るタッチスクリーンの層構造を示す斜視図である。
【図２】実施の形態１に係るタッチスクリーンの構成を示す平面図である。
【図３】実施の形態１に係るタッチスクリーンのシミュレーション結果を示す図である。
【図４】実施の形態１に係るタッチスクリーンのシミュレーション結果を示す図である。
【図５】実施の形態１に係るタッチスクリーンの構成を示す断面図である。
【図６】実施の形態１に係るタッチスクリーンの構成を示す断面図である。
【図７】実施の形態１に係る行方向配線及び列方向配線の構成を示す平面図である。
【図８】実施の形態２に係るタッチスクリーンの構成を示す平面図である。
【図９】実施の形態３に係るタッチスクリーンの構成を示す平面図である。
【図１０】実施の形態４に係るタッチスクリーンの構成を示す平面図である。
【図１１】実施の形態５に係るタッチパネルの構成を模式的に示す平面図である。
【発明を実施するための形態】
【００１９】
＜実施の形態１＞
図１〜図７を用いて、本発明の実施の形態１に係るタッチスクリーン１について説明する。なお、本実施の形態１に係るタッチスクリーン１は、投影型静電容量方式のタッチスクリーンであるとして説明するが、これに限ったものではない。
【００２０】
図１は、本実施の形態１に係るタッチスクリーン１の層構造を示す斜視図である。図１において、タッチスクリーン１の最下面層は、透明なガラス材料または透明な樹脂から成る透明基板１０である。透明基板１０の上には、下部電極２０が配設されている。また、下部電極２０を被覆するように、層間絶縁膜１１が配設される。層間絶縁膜１１は、シリコン窒化膜またはシリコン酸化膜等の透明な絶縁膜である。層間絶縁膜１１の上面には上部電極３０が配設される。
【００２１】
さらに、層間絶縁膜１１の上面には、上部電極３０を被覆するように、保護膜１２が配設される。保護膜１２は、層間絶縁膜１１と同様に、シリコン窒化膜などの透光性を有する絶縁性の膜である。保護膜１２の上面には、タッチスクリーン１が装着される液晶ディスプレイ用の偏光板（図示せず）が貼り付けられる。そして、当該偏光板の上面には粘着材１３が配設される。さらに、粘着材１３によって上述の偏光板に、タッチスクリーン１を保護するために、タッチスクリーン１の表面を成す透明基板１４が接着されている。なお、透明基板１４には、例えば透明なガラス材料または透明な樹脂が適用される。
【００２２】
下部電極２０は、ＩＴＯ（Indium Tin Oxide）等の透明配線材料またはアルミニウムもしくは銅等の金属配線材料から成る複数本の行方向配線２１を備える。また、上部電極３０は、下部電極２０と同様にＩＴＯ等の透明配線材料またはアルミニウムもしくは銅等の金属配線材料から成る複数本の列方向配線３１を備える。なお、下部電極２０及び上部電極３０は、後述する引き出し配線も備える。
【００２３】
本実施の形態１では、上述の列方向配線３１及び行方向配線２１のそれぞれに、アルミニウム系合金層とその窒化層とから成る多層構造を適用した。これによって、配線抵抗を小さくでき、かつ検出可能エリアの光の反射率を低減させることができる。また、本実施の形態１では、列方向配線３１を行方向配線２１上に配設したが、これらの上下の位置関係を逆にして、行方向配線２１を列方向配線３１上に配設してもよい。さらに、列方向配線３１及び行方向配線２１の材料をアルミニウム系合金層とその窒化層とから成る多層構造に統一したが、これらの材料は統一しなくてもよい。例えば列方向配線３１の材料をアルミニウム系合金層とその窒化層とから成る多層構造とし、行方向配線２１をＩＴＯ等の透明配線材料としてもよい。
【００２４】
また、本実施の形態１では、列方向配線３１を行方向配線２１上に配設したが、これに限ったものではない。例えば、列方向配線３１及び行方向配線２１を同一レイヤーに配設して、これら配線が平面視で互いに重なる部分においてのみ、これら配線の間に層間絶縁膜１１を配設してこれら配線を電気的に分離してもよい。
【００２５】
さて、使用者は、タッチスクリーン１の表面を成す透明基板１４に指などの指示体でタッチして操作を行う。透明基板１４に指示体が触れると、指示体と透明基板１４下方の行方向配線２１及び列方向配線３１の少なくともいずれか１つとの間に容量結合（タッチ容量）が発生する。相互容量方式では、当該タッチ容量の発生に応じて発生する、行方向配線２１及び列方向配線３１の間の相互容量の変化に基づいて、検出可能エリア内のどの位置において指示体がタッチしたかを特定するように構成されている。
【００２６】
なお、図１には、タッチスクリーン１だけでなく、表示素子５１と、これらを接着する粘着材５２とが想像線（二点鎖線）で示されている。表示素子５１には、例えば液晶表示素子、または、ＬＣＤ（液晶表示装置）パネルなどの表示パネルが適用される。
【００２７】
図２は、本実施の形態１に係るタッチスクリーン１の構成を示す平面図である。タッチスクリーン１の検出可能エリアは、横方向（行方向）に延在する複数の行方向配線２１と、縦方向（列方向）に延在する複数の列方向配線３１とが、平面視において重なることによって形成されるマトリックス領域である。以下、予め定められた延在方向に沿って延在する複数のセンサ用配線は、行方向配線２１であるものとし、検出可能エリアは、行方向配線２１の配設領域であるものとして説明する。しかしこれに限ったものではなく、例えば、検出可能エリアには、行方向配線２１の代わりに列方向配線３１が適用されてもよいし、行方向配線２１及び列方向配線３１の両方が適用されてもよい。また、列方向配線３１及び行方向配線２１の本数は、図２に示される本数に限ったものではない。
【００２８】
行方向配線２１の各々は、引き出し配線Ｒ１〜Ｒ６（複数の引き出し配線）によって、タッチスクリーン１の外部の配線と接続するための端子８に接続される。また、列方向配線３１の各々も同様に、引き出し配線Ｃ１〜Ｃ８によって、タッチスクリーン１の外部の配線と接続するための端子８に接続される。
【００２９】
引き出し配線Ｒ１〜Ｒ６は、行方向配線２１の端部と接続され、かつ検出可能エリアの外周に沿って延在している。ここで、引き出し配線Ｒ５は、行方向配線２１との接続部から検出可能エリアの外周方向に沿って引き出し配線Ｒ６に到達した場合には、引き出し配線Ｒ６の外側（検出可能エリアと逆側）に、引き出し配線Ｒ６に沿って延在する。なお、引き出し配線Ｒ１〜Ｒ４も、引き出し配線Ｒ５と同様に配設されている。
【００３０】
本実施の形態１では、引き出し配線Ｒ１〜Ｒ６は、検出可能エリアの外周側に詰めて配設される。また、引き出し配線Ｃ１〜Ｃ８も同様に、端子８に近い引き出し配線から順に、検出可能エリアの外周側に詰めて配設される。このように引き出し配線Ｒ１〜Ｒ６，Ｃ１〜Ｃ８をなるべく検出可能エリアの外周側に詰めて配設することで、タッチスクリーン１が装着される表示素子５１と、最も外側の引き出し配線Ｒ１，Ｃ１を除いた引き出し配線Ｒ２〜Ｒ６，Ｃ２〜Ｃ８のそれぞれとの間のフリンジ容量を抑制することができる。
【００３１】
なお、以下の説明では、引き出し配線Ｒ１〜Ｒ６のうち最も外側（検出可能エリアの逆側）の引き出し配線Ｒ１を、「最外引き出し配線Ｒ１」と記すこともある。また、引き出し配線Ｃ１〜Ｃ８のうち最も外側（検出可能エリアの逆側）の引き出し配線Ｃ１を、「最外引き出し配線Ｃ１」と記すこともある。
【００３２】
図２に示されるように、引き出し配線Ｒ１〜Ｒ６と引き出し配線Ｃ１〜Ｃ８との間には内側シールド配線４０が配設されている。また、最外引き出し配線Ｒ１，Ｃ１の外側には、複数の行方向配線２１、複数の列方向配線３１、引き出し配線Ｒ１〜Ｒ６，Ｃ１〜Ｃ８、及び、後述するカップリングシールド配線ＳＲ１〜ＳＲ６を囲むシールド配線である最外シールド配線４１が配設されている。内側シールド配線４０及び最外シールド配線４１には、グランド電位が印加されている。
【００３３】
なお、以下の説明において、各引き出し配線Ｒ１〜Ｒ６，Ｃ１〜Ｃ８と、最外シールド配線４１及び表示素子５１（例えばＬＣＤパネルなど）とのカップリングを「カップリング」とのみ記すこともある。
【００３４】
最外引き出し配線Ｒ１は、引き出し配線Ｒ１〜Ｒ６のうち最も外側に位置し、かつ最も長く、カップリングの影響を受けやすい。このため、最外引き出し配線Ｒ１は、その他の引き出し配線Ｒ２〜Ｒ６に比べて接地容量の増加量は大きい。一方、最外引き出し配線Ｒ１以外の各引き出し配線Ｒ２〜Ｒ６は、カップリングの影響を受けにくいため、最外引き出し配線Ｒ１に比べて接地容量の増加量は小さい。
【００３５】
その結果として生じる接地容量のばらつきを低減できるように、本実施の形態１に係るタッチスクリーン１は、複数のカップリングシールド配線（カップリングシールド配線ＳＲ１〜ＳＲ６）を備える。カップリングシールド配線ＳＲ１〜ＳＲ６は、複数の引き出し配線（引き出し配線Ｒ１〜Ｒ６）から分岐し、引き出し配線Ｒ１〜Ｒ６の配設領域の外周に沿って延在する。
【００３６】
なお、カップリングシールド配線ＳＲ１〜ＳＲ６は、引き出し配線Ｒ１〜Ｒ６との接続点に対応する分岐部において引き出し配線Ｒ１〜Ｒ６とそれぞれ電気的に接続されている。ただし、引き出し配線Ｒ１〜Ｒ６のいずれかの引き出し配線から分岐されたカップリングシールド配線は、他の引き出し配線と絶縁される必要がある。このため本実施の形態１では、引き出し配線Ｒ１〜Ｒ６が下部電極２０に含まれる場合には、カップリングシールド配線ＳＲ１〜ＳＲ６は上部電極３０に含まれ、引き出し配線Ｒ１〜Ｒ６が上部電極３０に含まれる場合には、カップリングシールド配線ＳＲ１〜ＳＲ６は下部電極２０に含まれる。
【００３７】
さて、カップリングシールド配線ＳＲ１〜ＳＲ６が配設されていない構成を想定構成として想定する。本実施の形態１では、その想定構成における引き出し配線Ｒ１〜Ｒ６の接地容量に基づいて、カップリングシールド配線ＳＲ１〜ＳＲ６の長さ（配線長）が規定されている。ここで、想定構成における引き出し配線Ｒ１〜Ｒ６の接地容量は、引き出し配線Ｒ１〜Ｒ６の長さにそれぞれ対応している。このことに鑑みて、本実施の形態１では、カップリングシールド配線ＳＲ１〜ＳＲ６の長さは、対応する複数の引き出し配線Ｒ１〜Ｒ６の長さに基づいてそれぞれ規定されている。
【００３８】
例えば、想定構成では、引き出し配線Ｒ１〜Ｒ６の接地容量のうち、最外引き出し配線Ｒ１の接地容量が最も大きい。このため、最外引き出し配線Ｒ１から分岐されたカップリングシールド配線ＳＲ１の長さを最も短くすることで、引き出し配線全体の接地容量バランスを整えることができる。そこで本実施の形態１では、引き出し配線の長さが大きくなるにつれて、対応するカップリングシールド配線の長さが小さくなるように構成されている。一般化すれば、引き出し配線の長さがＲ１＞Ｒ２＞・・・＞Ｒｎの場合、カップリングシールド配線の長さがＳＲ１＜ＳＲ２＜・・・＜ＳＲｎとなるように構成されている。また本実施の形態１では、カップリングシールド配線ＳＲ１〜ＳＲ６のうち最も短いカップリングシールド配線ＳＲ１は、引き出し配線Ｒ１〜Ｒ６のうち最外引き出し配線Ｒ１（最も外側の引き出し配線Ｒ１）から分岐されている。
【００３９】
なお以上のような本実施の形態１の構成では、カップリングシールド配線の本数は、カップリングシールド配線の分岐部からカップリングシールド配線の先端部に向かうにつれて少なくなる。しかしながら、カップリングシールド配線の本数が少なくなった場合でも、カップリングの影響を受けにくくするために、カップリングシールド配線の幅の合計は一定であることが望ましい。そこで、複数のカップリングシールド配線のうち１以上のカップリングシールド配線の幅は、本数が少なくなるにつれて大きくなるように構成されている。このような構成によれば、カップリングシールド配線の本数が少なくなった分、カップリングシールド配線の幅が大きくなるため、カップリングシールド配線の幅の合計はなるべく一定に保たれる。この結果、カップリングの影響を適切に低減することができる。
【００４０】
以上のような本実施の形態１に係る構成によれば、最外引き出し配線Ｒ１と最外シールド配線４１及び表示素子５１などとのカップリングの影響を、最外引き出し配線以外の引き出し配線Ｒ２〜Ｒ６に分散することができる。したがって、接地容量を低減しつつ、接地容量のばらつきを低減することができる。次に、シミュレーション結果を示しながらこのことを詳細に説明する。
【００４１】
図３は、大型化（１９．０インチ相当）を考慮した、４１本の引き出し配線Ｒ１〜Ｒ４１を配設した場合の特許文献４及び特許文献５に記載のタッチスクリーン、並びに、実施の形態１に係るタッチスクリーンのそれぞれについての、接地容量相対値のシミュレーション結果を示す。図３の縦軸は、特許文献４の接地容量の最も小さい引き出し配線Ｒ４０の接地容量を基準としており、その引き出し配線Ｒ４０の接地容量相対値は「１」である。なお、これらタッチスクリーンのカップリングシールド配線の幅は４００μｍとしてシミュレーションを行った。
【００４２】
図３に示すように、特許文献４に記載のタッチスクリーンでは、引き出し配線Ｒ１〜Ｒ４１全体における接地容量値のばらつきが大きい。特許文献５に記載のタッチスクリーンでは、引き出し配線Ｒ１〜Ｒ４１全体における接地容量値のばらつきは小さいが、各引き出し配線Ｒ１〜Ｒ４１の接地容量値が大きい。
【００４３】
これに対して本実施の形態１では、最外引き出し配線と最外シールド配線４１及び表示素子５１とのカップリングの影響を、カップリングシールド配線に分散することができる。これにより図３に示すように、特許文献４及び５の技術よりも、接地容量値を概ね小さくすることができ、接地容量値のばらつきも小さくすることができる。
【００４４】
図４は、実施の形態１に係るタッチスクリーンについてのシミュレーション結果を示す図であり、具体的には、カップリングシールド配線の幅の違いによる接地容量相対値のシミュレーション結果を示している。図３と同様のタッチスクリーンの構成、つまり、大型化（１９．０インチ相当）を考慮した、４１本の引き出し配線Ｒ１〜Ｒ４１を配設した構成において、カップリングの影響を特に受けやすい引き出し配線Ｒ１〜Ｒ１１の結果が示されている。図４の縦軸は、幅が４００μｍであるカップリングシールド配線に関する接地容量を基準としており、幅が４００μｍであるカップリングシールド配線に関する接地容量値は「１」である。
【００４５】
図４に示すように、カップリングシールド配線の幅は４００μｍで飽和し、カップリングシールド配線の幅が４００μｍ以上であっても、カップリングの影響はほぼ同等である。このため本実施の形態１の構成では、カップリングシールド配線の幅は４００μｍであることが好ましい。ただし、カップリングシールド配線の幅は、４００μｍに限ったものではない。
【００４６】
図５は、引き出し配線とカップリングシールド配線との間の分岐部の構造を示す断面図である。図５の下部電極２０及び上部電極３０は、引き出し配線及びカップリングシールド配線を含む。
【００４７】
図６は、分岐部以外の構造を示す断面図である。図６の下部電極２０及び上部電極３０は、行方向配線２１、列方向配線３１、引き出し配線及びカップリングシールド配線を含む。図６に示すように下部電極２０及び上部電極３０は、分岐部以外では互いに接続されていない。
【００４８】
さて、図２などでは、行方向配線２１及び列方向配線３１は棒状であったが、これ限ったものではない。図７は、行方向配線２１及び列方向配線３１の構成の一例を示す平面図である。
【００４９】
図７に例示するように、列方向配線３１は、列方向（Ｙ方向）に延在する複数の検出用列配線２を備える。各検出用列配線２は、（１）列方向に対して傾斜角度４５°で斜めに傾斜した第１傾斜部分２ａＳと、列方向に平行で且つ第１傾斜部分２ａＳに繋がった第１平行部分２ａＰとが、列方向に沿ってジグザグ状に繰り返されて配設されて成るジグザグパターンの第１金属配線２ａと、（２）列方向を軸として第１金属配線２ａに線対称な構成を有する第２金属配線２ｂとの一組から成る。
【００５０】
図７に例示するように、行方向配線２１は、行方向（Ｘ方向）に延在する複数の検出用行配線３を備える。各検出用行配線３は、（３）行方向に対して傾斜角度４５°で斜めに傾斜した第２傾斜部分３ａＳと、行方向に平行で且つ第２傾斜部分３ａＳに繋がった第２平行部分３ａＰとが、行方向に沿ってジグザグ状に繰り返されて配設されて成るジグザグパターンの第３金属配線３ａと、（４）行方向を軸として第３金属配線３ａに線対称な構成を有する第４金属配線３ｂとの一組から成る。
【００５１】
しかも、複数の検出用列配線２の内の任意の１本の検出用列配線と、複数の検出用行配線３の内の任意の１本の検出用列配線とが立体的に交差して成る各エリアにおいて、以下のような位置関係が成立する。
【００５２】
すなわち、いずれかのエリア内に属する第１金属配線２ａの２つの第１傾斜部分２ａＳの内で一方の傾斜部分２ａＳ１は、その中点（中心部）において、当該エリア内に属する第３金属配線３ａの２つの第２傾斜部分３ａＳの内の一方の傾斜部分３ａＳ１と、その中点（中心部）において立体的に直交している。さらに、いずれかのエリア内に属する第１金属配線２ａの２つの第１傾斜部分２ａＳの内で他方の傾斜部分２ａＳ２は、その中点（中心部）において、当該エリア内に属する第４金属配線３ｂの２つの第２傾斜部分３ｂＳの内の一方の傾斜部分３ｂＳ１と、その中点（中心部）において立体的に直交している。
【００５３】
加えて、いずれかのエリア内に属する第２金属配線２ｂの２つの第１傾斜部分２ｂＳの内で一方の傾斜部分２ｂＳ１は、その中点（中心部）において、当該エリア内に属する第３金属配線３ａの２つの第２傾斜部分３ａＳの内の他方の傾斜部分３ａＳ２と、その中点（中心部）において立体的に直交している。さらに、いずれかのエリア内に属する第２金属配線２ｂの２つの第１傾斜部分２ｂＳの内で他方の傾斜部分２ｂＳ２は、その中点（中心部）において、当該エリア内に属する第４金属配線３ｂの２つの第２傾斜部分３ｂＳの内の他方の傾斜部分３ｂＳ２と、その中点（中心部）において立体的に直交している。このような傾斜部分同士の直交関係の設定により、平行部分２ａＰ，２ｂＰの列方向に沿っての寸法、及び、平行部分３ａＰ，３ｂＰの行方向に沿っての寸法は、最小値化される。
【００５４】
図７に示した以上のような構成により、検出用列配線２と検出用行配線３との間で発生する寄生容量の値を最小化することが可能となる。さらに、以上のような本構成によって、平面視における検出用列配線２及び検出用行配線３が存在しない箇所の全面積を、本構成を採用しない場合よりも低減することができるため、指等の指示体と検出用列配線２との間の静電容量、及び、指示体と検出用行配線３との間の静電容量から成るタッチ容量を各エリアで均一に検出することが可能となる。
【００５５】
ここで、図７のタッチスクリーン１の行方向及び列方向の各々が、タッチスクリーン１に装着される表示素子５１の画素パターンの行方向及び列方向と平行となるように、表示素子５１をタッチスクリーン１に装着する構成を想定する。この構成では、検出用列配線２及び検出用行配線３の各ジグザグパターン２ａ，２ｂ，３ａ，３ｂが、画素パターンの行方向及び列方向の各々の配列方向に対して４５°の角度で傾斜した斜め方向に、各画素に対して配設されることになり、各画素の一部が均一に覆われることになる。したがって、以上のような構成によれば、表示素子５１から出射された表示光がタッチスクリーン１を通り抜ける際の透過率を均一化することができ、かつ、モアレ現象の発生を抑制することができる。
【００５６】
また、本実施の形態１のように、行方向配線２１及び列方向配線３１をメッシュ状の配線とすることによって、少ない配線面積で、広い検出可能エリアを覆うことが可能である。ただし、行方向配線２１及び列方向配線３１の材料、形状等は、上述の説明に限定されるものではない。
【００５７】
また、行方向配線２１及び列方向配線３１の材料としては、ＩＴＯもしくはグラフェン等の透明導線性材料、または、アルミニウム、クロム、銅もしくは銀等の金属材料を用いることができる。あるいは、行方向配線２１及び列方向配線３１の材料としては、アルミニウム、クロム、銅、銀等の合金、または、これら合金上に窒化アルミニウム等を形成した多層構造を用いることができる。ただし、導線幅とメッシュ間隔は、上述の説明に限定されるものではなく、タッチスクリーン１の用途等に応じて適宜変更されてよい。
【００５８】
＜実施の形態１のまとめ＞
以上のような本実施の形態１に係るタッチスクリーン１によれば、複数の引き出し配線から分岐する複数のカップリングシールド配線を備え、複数のカップリングシールド配線の長さは、対応する複数の引き出し配線の長さに基づいてそれぞれ規定されている。このような構成によれば、引き出し配線ひいては行方向配線２１に形成される容量を低減することができる。そして、配線の寄生容量が低減できることによって、配線負荷が軽減されるので、大型化に対応可能となる。また、引き出し配線ひいては行方向配線２１に形成される容量のばらつきを低減することができるので、配線の寄生容量の偏差、ひいては静電容量検出感度の偏差を低減することができる。
【００５９】
＜実施の形態２＞
図８を用いて、本発明の実施の形態２に係るタッチスクリーン１について説明する。図８は、本実施の形態２に係るタッチスクリーン１の構成を示す平面図である。本実施の形態２に係るカップリングシールド配線は、実施の形態１に係るカップリングシールド配線と異なる。なお、タッチスクリーン１のそれ以外の構成は、実施の形態１で図１〜図７を用いて説明したものと同様である。
【００６０】
実施の形態１では、複数のカップリングシールド配線の幅の合計を一定にした。これに対して、本実施の形態２では、各カップリングシールド配線の幅を一定（例えば４００μｍ）にしている。そして、引き出し配線の長さが大きくなるにつれて、対応するカップリングシールド配線の長さが小さくなるように構成されている。つまり本実施の形態２では、カップリングシールド配線の長さでのみ、想定構成における引き出し配線の接地容量の調整が行われている。
【００６１】
以上のような本実施の形態２に係るタッチスクリーン１によれば、実施の形態１と同様に、接地容量を低減し、かつ接地容量のばらつきを低減することができる。
【００６２】
＜実施の形態３＞
図９を用いて、本発明の実施の形態３に係るタッチスクリーン１について説明する。図９は、本実施の形態３に係るタッチスクリーン１の構成を示す平面図である。実施の形態１では、行方向配線２１の片側から引き出し配線を引き出した構成であった。これに対して、本実施の形態３では、行方向配線２１の両側から引き出し配線を引き出した構成としている。
【００６３】
仮に、想定構成において行方向配線２１の両側から引き出し配線を引き出すと、行方向配線２１の配線抵抗が低減するが、引き出し配線に関するカップリングの影響が大きくなる。そこで、本実施の形態３では、行方向配線２１の両側の各側の引き出し配線から、実施の形態１と同様のカップリングシールド配線を分岐した。このような構成によれば、行方向配線２１の片側のみの引き出し配線からカップリングシールド配線を分岐するよりも、接地容量を低減し、かつ接地容量のばらつきを低減することができる。
【００６４】
＜実施の形態４＞
図１０を用いて、本発明の実施の形態４に係るタッチスクリーン１について説明する。図１０は、本実施の形態４に係るタッチスクリーン１の構成を示す平面図である。実施の形態２では、行方向配線２１の片側から引き出し配線を引き出した構成であった。これに対して、本実施の形態４では、行方向配線２１の両側から引き出し配線を引き出した構成としている。
【００６５】
仮に、想定構成において行方向配線２１の両側から引き出し配線を引き出すと、行方向配線２１の配線抵抗が低減するが、引き出し配線に関するカップリングの影響が大きくなる。そこで、本実施の形態４では、行方向配線２１の両側の各側の引き出し配線から、実施の形態２と同様のカップリングシールド配線を分岐した。このような構成によれば、行方向配線２１の片側のみの引き出し配線からカップリングシールド配線を分岐するよりも、接地容量を低減し、かつ接地容量のばらつきを低減することができる。
【００６６】
＜タッチスクリーンの変形例＞
以上に説明したタッチスクリーン１では、行方向配線２１と接続された引き出し配線Ｒ１〜Ｒ６に対してカップリングシールド配線が配設された。しかしこれに限ったものではなく、列方向配線３１と接続された引き出し配線Ｃ１〜Ｃ８に対してカップリングシールド配線が配設されてもよい。
【００６７】
また以上に説明したタッチスクリーン１では、複数のカップリングシールド配線の長さは、対応する複数の引き出し配線の長さに基づいてそれぞれ規定されていた。しかしながら、複数のカップリングシールド配線の幅が、対応する複数の引き出し配線の長さに基づいてそれぞれ規定されてもよい。具体的には、引き出し配線の長さが大きくなるにつれて、対応するカップリングシールド配線の幅（例えば平均幅）が小さくなるように構成されてもよい。
【００６８】
または、これらを組み合わせて、複数のカップリングシールド配線の長さ及び幅が、対応する複数の引き出し配線の長さに基づいてそれぞれ規定されてもよい。以上のような構成であっても、接地容量を低減し、かつ接地容量のばらつきを低減することができる。
【００６９】
＜実施の形態５＞
図１１は、本発明の実施の形態５に係るタッチパネル７０の構成を模式的に示す平面図である。タッチパネル７０は、図１に示した実施の形態１のタッチスクリーン１と、フレキシブルプリント基板７１と、コントローラ基板７２とを備える。
【００７０】
タッチスクリーン１の各端子８上に、フレキシブルプリント基板７１の対応する端子が、異方性導電フィルム（Anisotropic Conductive Film；略称：ＡＣＦ）などを用いることによって実装される。なお、便宜上、図１１のタッチスクリーン１における端子８の位置を、図２などの端子８の位置から変更している。
【００７１】
フレキシブルプリント基板７１を介して、タッチスクリーン１の行方向配線２１及び列方向配線３１の端部と、コントローラ基板７２とが電気的に接続されることによって、タッチスクリーン１は、タッチパネル７０の主要構成要素として機能する。
【００７２】
コントローラ基板７２には、タッチ位置検出用の検出処理回路７３が搭載されている。検出処理回路７３は、信号電圧の印加によって検出用行配線３（行方向配線２１）及び検出用列配線２（列方向配線３１）と、指示体との間に形成される静電容量から成るタッチ容量を検出する。そして、検出処理回路７３は、当該検出結果（タッチ容量）に基づいて、指示体によって指示されたタッチスクリーン１上における位置（タッチ位置）の算出処理を行う。なお、検出処理回路７３には、投影型静電容量方式の検出ロジックを採用することができる。
【００７３】
コントローラ基板７２に備えられた外部接続端子７４は、検出処理回路７３によるタッチ座標の算出処理の結果を外部の処理装置に出力する。
【００７４】
以上のように構成された本実施の形態５に係るタッチパネル７０は、上述の実施の形態１に係るタッチスクリーン１を備える。これにより、接地容量を低減し、かつ接地容量のばらつきを低減することによって大型化に対応可能なタッチパネル７０を実現することができる。
【００７５】
なお以上では、タッチパネル７０は、実施の形態１に係るタッチスクリーン１を備える構成について説明した。しかしこれに限ったものではなく、これに代えて、実施の形態２〜４及び変形例のいずれかに係るタッチスクリーン１を備えてもよい。また、コントローラ基板７２上の検出処理回路７３などは、コントローラ基板７２上ではなく、透明基板１０上に直接設けてもよい。これらの構成は、以下で説明する実施の形態６及び７においても同様に適用することができる。
【００７６】
＜実施の形態６＞
本発明の実施の形態６に係る表示装置は、タッチパネル７０（図１１）と、表示素子５１（図１）とを備えており、これらが一体化された構造を有している。タッチパネル７０のタッチスクリーン１は、表示素子５１の表示画面よりも使用者側に配設され、表示素子５１に重ねられている。このようにタッチパネル７０を表示素子５１の表示画面の使用者側に装着することによって、使用者が指示するタッチ位置を検出する機能を有するタッチパネル付きの表示装置が構成される。
【００７７】
以上のように構成された本実施の形態６に係る表示装置は、静電容量検出感度の容量及びその偏差が低減されたタッチパネル７０（タッチスクリーン１）を備える。したがって、静電容量検出感度の容量及びその偏差が低減された、投影型静電容量方式のタッチパネル付きの表示装置を実現することができる。
【００７８】
＜実施の形態７＞
本発明の実施の形態７に係る電子機器は、上述の実施の形態６に係る表示装置（図１１に示すタッチパネル７０と図１に示す表示素子５１とが一体化された構造）と、電子素子である信号処理素子とを備える。信号処理素子は、タッチパネル７０の外部接続端子７４からの出力（検出処理回路７３の出力）を入力信号として処理を行い、それによって得られたデジタル信号を出力する。信号処理素子が、タッチパネル７０に接続されることによって、検出したタッチ位置を、コンピュータなどの外部信号処理装置へ出力するデジタイザなどのタッチ位置検出機能付き電子機器を構成することができる。
【００７９】
なお、信号処理素子は、コントローラ基板７２に内蔵されてもよい。信号処理素子が、ＵＳＢ（Universal Serial Bus）のようなバス規格を満たすような出力機能を備えるように構成されれば、汎用性の高いタッチ位置検出機能付き電子機器を実現することができる。
【００８０】
以上のように構成された本実施の形態７に係る電子機器は、静電容量検出感度の容量及びその偏差が低減されたタッチパネル７０（タッチスクリーン１）を備える。したがって、静電容量検出感度の容量及びその偏差が低減された、投影型静電容量方式のタッチ位置検出機能付き電子機器を実現することができる。
【００８１】
なお、本発明は、その発明の範囲内において、各実施の形態及び各変形例を自由に組み合わせたり、各実施の形態及び各変形例を適宜、変形、省略したりすることが可能である。
【符号の説明】
【００８２】
１  タッチスクリーン、２１  行方向配線、３１  列方向配線、４１  最外シールド配線、７０  タッチパネル、７３  検出処理回路、Ｒ１〜Ｒ６，Ｃ１〜Ｃ８  引き出し配線、ＳＲ１〜ＳＲ６  カップリングシールド配線。
【図１】
2020024592.tif 000003
【図２】
2020024592.tif 000004
【図３】
2020024592.tif 000005
【図４】
2020024592.tif 000006
【図５】
2020024592.tif 000007
【図６】
2020024592.tif 000008
【図７】
2020024592.tif 000009
【図８】
2020024592.tif 000010
【図９】
2020024592.tif 000011
【図１０】
2020024592.tif 000012
【図１１】
2020024592.tif 000013